(57)【要約】  本発明は、洗濯機のセミドライ方法及びそのための通風構造とコントロール装置に関し、脱水と布ほぐしとを複数回繰り返し行うと共に、布の脱水ステップにおいて、布が洗濯槽の水孔に挟まれる現象を最小化できるように、洗濯槽が所定の脱水速度で通常の脱水工程時より長く回転されるため、通常の脱水工程より脱水率が高いとしても、布の損傷及びしわがほとんどなく、上述したセミドライ方法によるセミドライ工程の実施時間をユーザが選択できるだけでなく、確認することもでき、セミドライ工程の際に通風が行われることによって、布の脱水率をさらに向上させることができる。
2006528523.tif 000002
【特許請求の範囲】
【請求項１】
洗濯機のセミドライ方法において、
布が遠心力により脱水され得るように、洗濯槽が所定の脱水速度に達するまで多段で順次速くなりながら回転される、布の脱水ステップであって、その脱水ステップが複数回行われる脱水ステップと、
前記脱水ステップが複数回行われる過程において、次の回数の脱水ステップが実施される前に、布ほぐしが行われるように、洗濯槽が攪拌回転される布ほぐしステップと、
を具備することを特徴とする洗濯機のセミドライ方法。
【請求項２】
繰り返される前記各脱水ステップにおいて、前記洗濯槽の最終脱水速度が、前に行われた洗濯槽の脱水速度より速くなるように設定されたことを特徴とする請求項１に記載の洗濯機のセミドライ方法。
【請求項３】
繰り返される前記各脱水ステップにおける、前記洗濯槽の初期脱水速度が、前に行われた脱水ステップにおける洗濯槽の初期脱水速度より速くなるように設定されたことを特徴とする請求項１に記載の洗濯機のセミドライ方法。
【請求項４】
繰り返される前記各脱水ステップは、
前記洗濯槽が所定の脱水速度で回転される布の予備脱水過程と、
該予備脱水過程後、前記洗濯槽が前記予備脱水過程よりさらに速い脱水速度で回転される布の本脱水過程と
を具備することを特徴とする請求項１に記載の洗濯機のセミドライ方法。
【請求項５】
前記本脱水過程において、前記洗濯槽の脱水速度が多段で速くなるように設定されたことを特徴とする請求項４に記載の洗濯機のセミドライ方法。
【請求項６】
前記布ほぐしステップは、布の偏心量が設定分より小さくなるまで繰り返し行なわれることを特徴とする請求項１に記載の洗濯機のセミドライ方法。
【請求項７】
前記洗濯機のセミドライ方法は、繰り返される前記脱水ステップが全て終った後に、布ほぐしが行われる、仕上げ布ほぐしステップをさらに含むことを特徴とする請求項１に記載の洗濯機のセミドライ方法。
【請求項８】
前記布ほぐしステップは、前記脱水ステップの前に布ほぐしが行われるように、脱水ステップの前に、１回多く行われることを特徴とする請求項１に記載の洗濯機のセミドライ方法。
【請求項９】
前記布ほぐしステップが複数回行われる過程において、前記洗濯槽を回転させるモータのデューティー値が順次大きくなることを特徴とする請求項１に記載の洗濯機のセミドライ方法。
【請求項１０】
前記洗濯機のセミドライ方法は、前記脱水ステップの前に前記洗濯槽に投入された布の量を感知する布量感知ステップをさらに含むことを特徴とする請求項１に記載の洗濯機のセミドライ方法。
【請求項１１】
前記布量感知ステップにおいて、感知された布量が既設定分より小さければ、前記脱水ステップが実施され、
感知された布量が既設定分を超えていれば、洗濯機の運転が中断され、布量超過の警告を発することを特徴とする請求項１０に記載の洗濯機のセミドライ方法。
【請求項１２】
前記洗濯機のセミドライ方法は、前記布量感知ステップの前に布ほぐしが行われるように、初期布ほぐしステップをさらに含むことを特徴とする請求項１０に記載の洗濯機のセミドライ方法。
【請求項１３】
前記初期布ほぐしステップにおいて前記洗濯槽を回転させるモータのデューティー値が、前記布ほぐしステップにおけるモータのデューティー値より小さくなるように設定されたことを特徴とする請求項１２に記載の洗濯機のセミドライ方法。
【請求項１４】
洗濯機のセミドライ方法の制御のためのコントロール装置において、
選ばれた洗濯方法をそれを介してコントロール装置に入力することができ且つ前記選ばれた洗濯方法に基づいた洗濯進行状態をそれに表示するための操作部と、
前記操作部に備えられた時間設定手段であって、布の脱水と布ほぐしとを複数回繰り返し行って、所定の水準まで布を脱水させ得る、セミドライ工程の時間を設定するための時間設定手段と
を具備することを特徴とする洗濯機のセミドライ方法の制御のためのコントロール装置。
【請求項１５】
前記操作部は、前記セミドライ工程が始まれば、前記セミドライ工程の残った進行時間を表示するセミドライ進行表示部を備えることを特徴とする請求項１４に記載の洗濯機のセミドライ方法の制御のためのコントロール装置。
【請求項１６】
洗濯機槽において脱水と布ほぐしとを複数回繰り返し行って、所定の水準まで布を脱水させ得る、セミドライ工程の際に、前記洗濯槽の通風が可能なように通風口を備えるドアと、
該ドアに設置されたカバーであって、前記通風口を閉鎖するか又は開放するカバーと、
該カバーが前記通風口を覆っても、前記通風口を介して前記洗濯槽を通風するための常時通風手段と
を具備することを特徴とする洗濯機のセミドライのための通風構造。
【請求項１７】
各前記通風口の直径は、前記洗濯槽の外面からその内面へ行くほど、順次狭くなるように形成されることを特徴とする請求項１６に記載の洗濯機のセミドライのための通風構造。
【請求項１８】
前記ドアには、前記通風口を通過する空気中のホコリをろ過するためのフィルタが設置されることを特徴とする請求項１６に記載の洗濯機のセミドライのための通風構造。
【請求項１９】
前記フィルタは、フィルタの装着の促進のためのフィルタ取っ手が備えられ、
前記フィルタ取っ手は、前記カバーが前記通風口を覆う時、前記カバーを支持し得るように、所定の高さに形成されたことを特徴とする請求項１６に記載の洗濯機のセミドライのための通風構造。
【請求項２０】
前記カバーは、ユーザが前記カバーを握る時、ユーザの手が前記カバーにおいて滑ることを防止するためのすべり防止手段を備えることを特徴とする請求項１６に記載の洗濯機のセミドライのための通風構造。
【請求項２１】
前記カバーと前記ドアとの間には、前記カバーを前記洗濯機の内外方向に回転させるためのヒンジ手段が形成されることを特徴とする請求項１６に記載の洗濯機のセミドライのための通風構造。
【請求項２２】
前記ヒンジ手段は、
前記ドアに備えられて且つピンを有する、第１ボスと、
前記カバーに備えられる第２ボスであって、前記ピンが回転可能なように収容するか、又は前記ピンを分離するための、一部が切開された切開部を有する溝を有する第２ボスと、
該第２ボスの対応する一つに備えられた支持部材であって、前記カバーがドアから所定角度以上開かれると、前記第１ボスの対応する一つに当接して、前記ピンが溝から分離されるようにする支持部材と、
を備えることを特徴とする請求項２１に記載の洗濯機のセミドライのための通風構造。
【請求項２３】
前記カバーが前記通風口を覆う時前記ドアに形成されたフックホールに挿入されて、前記カバーをドアに固定する、フックが、前記カバーに形成されることを特徴とする請求項１６に記載の洗濯機のセミドライのための通風構造。
【請求項２４】
前記常時通風手段は、前記カバーの内面に備えられたリムの一部が、前記リムの他の部位に比べて前記カバーから相対的により短く突出されてなることを特徴とする請求項１６に記載の洗濯機のセミドライのための通風構造。
【請求項２５】
前記ドアには、前記カバーが前記通風口を覆う時、前記カバーを支持するための支持部材が形成され、
前記リムは、前記カバーが前記通風口を覆う時、前記リムと前記ドアとの間に所定の間隙を維持できるように、前記カバーから所定長さに突出することを特徴とする請求項２４に記載の洗濯機のセミドライのための通風構造。
【請求項２６】
前記ドアと前記カバーとの間には、前記カバーが前記通風口を覆っている状態が維持されるように、ロック手段が備えられ、
前記リムは、前記カバーが前記通風口を覆う時前記ドアを前記リムに圧着できるように、前記カバーが通風口を覆う時、前記ドアと前記カバーとの間の間隔よりさらに長く、前記カバーから突出することを特徴とする洗請求項２４に記載の濯機のセミドライのための通風構造。
【請求項２７】
セミドライ運転を実施するための洗濯機の通風構造において、
通風口が備えられたドアと、
該ドアに設置されていて且つ前記通風口を閉鎖するか又は開放させる、カバーと、
該カバーが前記通風口を覆っても、前記通風口を介して洗濯槽の通風が可能なようにする常時通風手段と、
を具備することを特徴とする洗濯機の通風構造。
【請求項２８】
前記常時通風手段は、前記カバーの内面に備えられたリムの一部が、前記リムの他の部位に比べて前記カバーから相対的により短く突出されてなることを特徴とする請求項２７に記載の洗濯機の通風構造。
【発明の詳細な説明】
【技術分野】
【０００１】
本発明は、洗濯機に関し、特に、脱水と布ほぐしとを複数回繰り返し行うことによって、一定水準まで布を脱水させることができる、洗濯機のセミドライ方法及びそのための通風構造とコントロール装置に関する。
【背景技術】
【０００２】
図１は、色々な洗濯機の中で、全自動洗濯機の内部構造を示した断面図である。
図１に示された全自動洗濯機は、上面にドア１が設置されたキャビネット２と、該キャビネット２の内部にダンパー３により支持される外槽４と、該外槽４の内部に回転可能に設置され、複数の水孔６ａが形成された内槽６と、前記外槽４の下側に設置されて前記内槽６を回転させる駆動部８と、前記外槽４及び内槽６に洗濯水を給水する給水装置１０と、前記外槽４及び内槽６に給水された洗濯水を排水させる排水装置１２を含んで構成される。
【０００３】
また、前記キャビネット２には、洗濯の際に、洗濯水と共に洗剤が供給されるように洗剤が保存される洗剤ボックス１４と、洗濯機の動作を制御するコントロール装置１６が設置される。そして、前記外槽４の内部には、前記外槽４及び内槽６に給水された洗濯水を加熱させるヒーター（図示せず）を設置することができる。
【０００４】
上記のように構成された洗濯機の洗濯方法は、布の汚れを除去するための洗濯工程、布を清潔な洗濯水ですすぐすすぎ工程、そして布の水気を取り除く脱水工程の順に進行することが一般的であり、ユーザの選択によって、前記各工程が選択的に行われることができる。
【０００５】
以下、洗濯工程、すすぎ工程、そして脱水工程の順に、洗濯機の洗濯方法を説明する。
まず、前記内槽６に布を積置きした後、洗濯機を作動させれば、まず、前記外槽４及び内槽６に洗濯水と共に洗剤が供給され、以後前記内槽６が駆動部８により回転される。そうすると、布が洗剤の化学作用、そして洗濯水流及び前記内槽６との摩擦により洗濯される。以後、前記排水装置１２により汚染された洗濯水が排水されれば、洗濯工程が終了する。
【０００６】
次に、前記外槽４及び内槽６に洗濯水のみが再び給水され、前記内槽６が回転しながら布がすすがれ、以後、汚れた洗濯水が前記排水装置１２により排水されるすすぎ工程が実施される。このようなすすぎ工程は、通常数回繰り返し行われる。
【０００７】
次に、すすぎ工程が数回繰り返し行われた後には、前記内槽６が３分ないし５分間１０００〜３０００ｒｐｍで高速回転しながら、布が遠心力により脱水され、布の脱水によって生じた水は、前記排水装置１２により排水される脱水工程が実施される。
上記のようにして脱水工程まで終了すれば、まだ布がじっとりとした状態であるので、前記内槽６に積んで置かれた布を取り出して、自然乾燥させる。
【０００８】
一方、図２は、色々な洗濯機の中で、布を完全乾燥させることのできる乾燥装置３０を備えたドラム洗濯機の内部構造を示した断面図である。ここで、乾燥装置３０を除外した残りの構成要素は、図１の全自動洗濯機の構成と似ているので、乾燥装置３０のみに対して説明する。
【０００９】
図２に示されているように、乾燥装置３０は、外槽４０と連結して内槽４２の内部に空気が循環できるように案内する乾燥ダクト３２と、前記乾燥ダクト３２を介して循環される空気を加熱して熱風とする乾燥ヒーター３４、そして前記乾燥ダクト３２の熱風を前記外槽４０の内部に強制圧送させる乾燥ファン３６などからなる。
【００１０】
このような乾燥装置３０が設置されたドラム洗濯機は、上述したような脱水工程が終了すれば、前記乾燥装置３０を利用して、布を前記内槽４２の内部で短時間に乾燥させる乾燥工程を実施する。
【００１１】
しかし、上記のような従来の技術に係る洗濯方法は、脱水工程の際に、短時間に布の水気を多く取ることができるように、最初から前記内槽（６または４２）が設定された脱水速度で高速回転されるため、遠心力により布が前記内槽（６または４２）の水孔６ａに挟まれ、また布が互いに絡まいあった状態で脱水が行われる。したがって、脱水工程後、布を自然乾燥させる時、絡まった布をひとつずつ分離するのに多くの時間と労働力を必要とし、高速遠心脱水によって布がしわくちゃになって、乾燥後アイロンがけなどの後処理過程を必要とするという問題点がある。
【００１２】
また、脱水工程後にも、布に多くの水分が含まれているため、布を洗濯機から取り出した後、長時間乾燥させなければならないので、天気及び時間的制約があるという問題点がある。もちろん、脱水工程の際に、前記内槽（６または４２）を長く回転させれば、布の脱水率が大きくなって、自然乾燥時間が減るが、布がそれだけ多く損傷されるという問題が発生する。
【００１３】
一方、図２に示されているように、前記乾燥装置３０を利用すれば、洗濯機内で布を便利に乾燥させることができるが、前記乾燥装置３０が追加されることによって、相対的に製品コストが上昇し、乾燥時間が２〜３時間程度かかることによって、エネルギー消費が多く、布が長時間洗濯機内の密閉した空間で熱風により乾燥されることによって、布から悪臭が発生し、服生地が損傷しやすいという問題点がある。
【発明の開示】
【００１４】
そこで、本発明は、上記の問題点を解決するためになされたものであって、本発明の目的は、通常の脱水工程時の脱水速度より低い速度で、さらに長く脱水と布ほぐしとが繰り返される、洗濯機のセミドライ方法を提供し、更にそれによって、布を通常の脱水工程時より高い脱水率で脱水させると共に、布の損傷及びしわを最小化できる、洗濯機のための通風構造及びコントロール装置を提供することにある。
【００１５】
また、本発明の他の目的は、上述した洗濯機のセミドライ方法によるセミドライ工程の実施時間を選択でき且つセミドライ工程の進行状態を確認できるセミドライ方法及びそのための通風構造とコントロール装置を提供することにある。
【００１６】
また、本発明のさらに他の目的は、上述したセミドライ工程の時、通風が行われることによって、布の脱水率をさらに向上させることができる、洗濯機のセミドライ方法及びそのための通風構造とコントロール装置を提供することにある。
【００１７】
また、本発明のさらに他の目的は、洗濯機に常時通風が行われることによって、布が洗濯機の内部に長時間投入されていても、損傷されるか、悪臭がしみ込むことを低減できる、洗濯機のセミドライ方法及びそのための通風構造とコントロール装置を提供することにある。
【００１８】
上記の目的を達成するため、本発明に係る洗濯機のセミドライ方法は、布が遠心力により脱水され得るように、洗濯槽が所定の脱水速度まで多段で順次速くなりながら回転される布の脱水ステップが複数回行われ、前記脱水ステップが複数回行われる過程において、次の回数の脱水ステップが実施される前に、布ほぐしが行われるように、洗濯槽が攪拌回転される布ほぐしステップが行われることを特徴とする。
【００１９】
前記脱水ステップにおいて、前記洗濯槽の最終脱水速度が、前に行われた洗濯槽の脱水速度より速くなるように設定されても良いことが好ましい。
【００２０】
前記各脱水ステップにおいて、前記洗濯槽の初期脱水速度が、前に行われた脱水ステップにおける洗濯槽の初期脱水速度より速くなるように設定されても良いことが好ましい。
【００２１】
前記各脱水ステップは、前記洗濯槽が一定脱水速度で回転される予備脱水過程と、該予備脱水過程後、前記洗濯槽が前記予備脱水過程よりさらに速い速度で回転される本脱水過程とを具備しても良いことが好ましい。
【００２２】
前記本脱水過程では、前記洗濯槽の脱水速度が多段で速くなるように設定されても良いことが好ましい。
【００２３】
前記布ほぐしステップは、布の偏心量が設定分以下になるまで繰り返し行われても良いことが好ましい。
【００２４】
前記布ほぐしステップは、前記脱水ステップが始まる前に布ほぐしが行われるように、１回多く行われても良いことが好ましい。
【００２５】
前記布ほぐしステップは、複数回行われる過程において、前記洗濯槽を回転させるモータのデューティー（負荷）値が順次大きくなっても良いことが好ましい。
【００２６】
前記洗濯機のセミドライ方法は、前記脱水ステップが始まる前に前記洗濯槽に投入された布の量を感知する布量感知ステップがさらに含まれても良いことが好ましい。
【００２７】
前記布量感知ステップにおいて、布量が既設定分以下であれば、前記脱水ステップが実施され、布量が既設定分超過であれば、洗濯機の動作が中断され、布量超過を警告しても良いことが好ましい。
【００２８】
前記洗濯機のセミドライ方法は、前記布量感知ステップが始まる前に布ほぐしが行われるように、初期布ほぐしステップをさらに含んでも良い。
【００２９】
前記初期布ほぐしステップでは、前記洗濯槽を回転させるモータのデューティー（Duty）値が、前記布ほぐしステップにおけるモータのデューティー値より小さくなるように設定されても良いことが好ましい。
【００３０】
前記洗濯機のセミドライ方法は、前記脱水ステップが全て終わると、布ほぐしが行われるように仕上げ布ほぐしステップをさらに含んでも良い。
【００３１】
また、本発明の別の形態において、本発明に係る洗濯機のセミドライのためのコントロール装置は、洗濯方法が入力されることができ、洗濯進行状態が表示される操作部と；該操作部に備えられて、脱水と布ほぐしとを複数回繰り返し行って、一定水準まで布を脱水させ得るセミドライ工程の時間を設定できる時間設定手段と；を含んで構成されたことを特徴とする。
【００３２】
前記操作部は、前記セミドライ工程が開始されると前記セミドライ工程の残った進行時間を表示する、セミドライ状態表示器をさらに具備しても良いことが好ましい。
【００３３】
また、本発明の別の形態によって、セミドライ工程を実施するための洗濯機の通風構造は、脱水と布ほぐしとを複数回繰り返し行って、一定水準まで布を脱水させ得るセミドライ工程の際に、洗濯槽の通風が可能なように通風口が備えられたドアと；該ドアに設置されて、前記通風口を閉鎖するか、開放させるカバーと；該カバーが前記通風口を覆っても、前記通風口を介して洗濯槽の通風が可能なようにする常時通風手段と；を含んで構成されたことを特徴とする。
【００３４】
前記通風口の直径は、洗濯槽の外面からその内面へ行くほど、次第に狭くなる形状に形成されても良いことが好ましい。
【００３５】
各前記通風口の外側の縁部がラウンド処理（丸み仕上げ）されても良いことが好ましい。
前記ドアには、前記通風口を通過する空気中のホコリをろ過し得るようにフィルタが設置されても良いことが好ましい。
【００３６】
前記フィルタには、フィルタの着脱のためのフィルタ取っ手が備えられ、前記フィルタ取っ手は、前記カバーが通風口を覆う時、前記カバーを支持し得るように、所定の高さに形成されても良いことが好ましい。
【００３７】
前記カバーには、ユーザが前記カバーを握る時、滑らないようにすべり防止手段が備えられても良いことが好ましい。
【００３８】
前記カバーとドアとの間には、前記カバーが洗濯機の内外方向に回転できるように、ヒンジ手段が備えられても良いことが好ましい。
【００３９】
前記ヒンジ手段は、前記ドアに備えられてピンを有する第１ボスと、前記カバーに備えられて、前記ピンが回転可能なように挿入されるか、分離され得るように、周りの一部が切開された溝を有する第２ボスと、該第２ボスに備えらえて、前記カバーがドアから一定角度以上回転すれば、前記第１ボスに当接して、前記ピンが溝から分離されるようにする支持部材と、が備えられても良いことがより好ましい。
【００４０】
前記カバーには、前記通風口を覆う時、前記ドアに形成されたフックホールに挟まれて、前記カバーがドアにロック（固定）されるようにするフックが形成されても良いことが好ましい。
【００４１】
前記常時通風手段は、前記カバーの内面に備えられたリム（Rim）の一部が、リムの他の部位より前記カバーから相対的に短く突出されてなっても良いことが好ましい。
【００４２】
本発明の一実施形態によれば、前記ドア側には、前記カバーが通風口を覆う時、前記カバーを支持し得る支持部材が備えられても良く、前記リムは、前記カバーが通風口を覆う時、前記ドアと一定間隙を維持できるように、前記カバーから所定長さで突出しても良いことが好ましい。
【００４３】
本発明の他の実施形態によれば、前記ドアとカバーとの間には、前記カバーが通風口を覆っている状態が維持されるように、ロック手段が備えられても良く、前記リムは、前記カバーが通風口を覆う時、前記ドアに圧着できるように、前記カバーが通風口を覆う時、前記ドアとカバーとの間の間隔よりさらに長く前記カバーから突出しても良いことが好ましい。
【００４４】
また、上記の目的を達成するため、本発明の更に別の形態に係り、セミドライ工程を実施する洗濯機の通風構造は、通風口が備えられたドアと、該ドアに設置されて、前記通風口を覆うか、開放させるカバーと、該カバーが前記通風口を覆っても、前記通風口を介して通風が可能なようにする常時通風手段と、を含んで構成されることを特徴とする。
【００４５】
前記常時通風手段は、前記カバーの内面に備えられたリムの一部が、リムの他の部位より前記カバーから相対的に短く突出されるように形成されても良いことが好ましい。
【００４６】
上記のように構成され作用する本発明に係る洗濯機のセミドライ方法は、従来の脱水工程より脱水率が高いが、布の損傷及びしわがほとんどなく、消費電力量及び時間の低減が可能で有るという効果を有する。
【００４７】
また、上記のように構成され作用する本発明に係る洗濯機のセミドライのためのコントロール装置は、ユーザが好みによってセミドライ工程の実施時間を選択できるだけでなく、ユーザの選択結果及びセミドライ工程の残った進行時間を確認することができるという効果を有する。
【００４８】
また、上記のように構成され作用する本発明に係る洗濯機のセミドライのための通風構造は、セミドライ工程時、布の脱水率が向上することができる効果を有する。
【００４９】
また、上記のように構成され作用する本発明に係る洗濯機の通風構造は、洗濯槽の内部に布が長期間放置した場合にも、布からの悪臭の発生、又は布が損傷されることを低減できるという効果を有する。
【発明を実施するための最良の形態】
【００５０】
以下、添付した図面を参照して、本発明の実施形態を説明する。
まず、本発明に係るセミドライ方法を具現できる洗濯機に対して説明すれば、本発明に係る洗濯機は、布の汚れを除去する洗濯工程と、布を清潔な水ですすぐすすぎ工程と、ぬれている布が遠心力により脱水され得るように、洗濯槽が相対的に短い時間の間高速回転する脱水工程と、そして、本発明に係るセミドライ方法によって、ぬれている布が遠心力により前記脱水工程よりさらに大きな脱水率で脱水されるセミドライ工程とを行うことができる。したがって、布を脱水する時、ユーザの選択によって前記脱水工程またはセミドライ工程が選択的に行われても良い。
【００５１】
図３は、本発明の一実施形態に係る洗濯機のセミドライ方法を示したフローチャートである。
図３に示されているように、上記のセミドライ工程の一実施形態を詳細に説明すれば、次の通りである。参考に、本発明の実施形態を説明するにおいて、洗濯槽は、モータにより回転されるが、前記モータとベルト、プーリなどを介して間接連結して回転されることもでき、前記モータと直結するとしても、負荷などにより回転速度が前記モータのｒｐｍと同一でない場合もあり得るが、通常、前記洗濯槽の回転速度は、前記モータのｒｐｍと同一であるか、比例関係にあるから、前記洗濯槽の回転速度をモータのｒｐｍと同じであると見なして説明する。
【００５２】
まず、洗濯槽が回転される時、布が互いに絡まりあっており、いずれの一方に片寄っていれば、すなわち布の偏心量が大きければ、前記洗濯槽の振動が過度になるので、布ほぐしが行われるように、前記洗濯槽が低速で攪拌回転される初期布ほぐしステップ（Ｓ２）が行われる。前記初期布ほぐしステップ（Ｓ２）は、モータがそれのデューティー（負荷）値に応じて、繰り返し的にオン・オフ動作することによって行われる。参考に、前記モータのデューティー（負荷）値は、モータのオン・オフ時間の比である。
【００５３】
前記初期布ほぐしステップ（Ｓ２）が終われば、前記洗濯槽に投入した布量を感知する布量感知ステップ（Ｓ４）が行われる。前記布量感知ステップ（Ｓ４）は、前記洗濯槽の回転速度が一定速度に到達するまでの時間を検出して、それに応じる布量を感知する方法など、通常の布量感知方法により行われることができる。
【００５４】
前記布量感知ステップ（Ｓ４）により布量が感知されれば、感知された布量がセミドライ工程が可能な最大布量である既設定分（値）と比較されて、セミドライ工程を続けて進行することができるか否かが判断される（Ｓ４）。なぜなら、前記洗濯槽に布が多く投入された状態で、布が遠心力により脱水され得るように前記洗濯槽が回転すれば、布が絡まりやすくなり、振動が過度になるので、セミドライ工程が可能な最大布量を制限する必要があるためである。セミドライ工程が可能な最大布量は、洗濯工程及びすすぎ工程の際、洗濯容量の２０％ないし４０％が好ましい。
【００５５】
この時、感知された布量が既設定値を超過した場合、セミドライ工程が続けて進行されないように中断（Ｓ１０）されると共に、ユーザに布量超過によってセミドライ工程が中断したことを通知できるように、警報を発する（Ｓ１２）。
【００５６】
これに対し、感知された布量が既設定分（値）より小さければ、セミドライ工程を続けて進行させることができるため、布が遠心力により脱水できるように、前記洗濯槽が一定脱水速度で回転される第１脱水ステップ（Ｓ２０）が行われる。
【００５７】
この時、前記洗濯槽が一定速度で回転される時、布がたくさんぬれているほど、遠心力が大きく作用され、振動が大きくなるので、前記洗濯槽の脱水速度が所定の脱水速度まで段階的に速くなるように設定されることが好ましい。
【００５８】
したがって、まず、布が遠心力により脱水され、前記洗濯槽の壁に形成された水孔に挟まれる現象を最小化できるように、前記洗濯槽が相対的に低い速度で回転される予備脱水過程（Ｓ２２）が行われる。
【００５９】
そして、前記予備脱水過程（Ｓ２２）において、布が１次脱水された状態であるから、前記予備脱水過程（Ｓ２２）に続けて、前記洗濯槽が前記予備脱水過程（Ｓ２２）より高い脱水速度で回転される本脱水過程（Ｓ２４）が実施される。もちろん、前記第１脱水ステップ（Ｓ２０）の本脱水過程（Ｓ２４）でも、前記洗濯槽の脱水速度は、布が前記洗濯槽の水孔に挟まれる現象を最小化できるように、７００ｒｐｍ程度で設定される。
【００６０】
ここで、前記第１脱水ステップ（Ｓ２０）は、布が前記洗濯槽の水孔に挟まれる現象を最小化できるように、前記洗濯槽の脱水速度が、上記の脱水工程時と比較して、相対的に低く設定されるが、洗濯槽の低脱水速度により布の損傷がほぼないので、布が十分に脱水できるように、上記の脱水工程時より相対的にさらに長く行われることができる。この時、前記第１脱水ステップ（Ｓ２０）の実施時間は、５分ないし３０分程度が適当である。
【００６１】
次に、前記第１脱水ステップ（Ｓ２０）が進行される間、洗濯槽において布が互いに絡まりあい、偏心されるため、前記第１脱水ステップ（Ｓ２０）が終われば、布ほぐしが行われるように、布ほぐしステップ（Ｓ３０）が行われる。
【００６２】
前記布ほぐしステップ（Ｓ３０）もまた、前記初期布ほぐしステップ（Ｓ２）と同様に、モータが一定デューティー値に応じて、繰り返し的にオン・オフ動作することによって、前記洗濯槽が低速で攪拌回転されて行われる。
【００６３】
上記のような布ほぐしステップ（Ｓ３０）が一定時間の間実施されてから、布ほぐしが正しく行われたか否かを確認するために、偏心感知部により布の偏心量を感知する偏心感知ステップ（Ｓ３２）が実施され、前記偏心感知ステップ（Ｓ３２）により感知された布の偏心量が、許容範囲であるか否かが判断される（Ｓ３４）。
【００６４】
この時、布の偏心量が許容範囲を外れている場合には、前記布ほぐしステップ（Ｓ３０）が一定時間の間再び行われた後、また前記偏心感知ステップ（Ｓ３２）が行われる。上記のような布ほぐしステップ（Ｓ３０）と偏心感知ステップ（Ｓ３２）とは、布の偏心量が許容範囲以内になるまで、数回繰り返し行われる。
【００６５】
以後、前記偏心感知ステップ（Ｓ３２）で感知された布の偏心量が、許容範囲以内であれば、布が遠心力により前記第１脱水ステップ（Ｓ２０）より大きな脱水率まで脱水され得るように、第２脱水ステップ（Ｓ４０）が実施される。
【００６６】
前記第２脱水ステップ（Ｓ４０）もまた、まず前記第１脱水ステップ（Ｓ２０）の予備脱水過程（Ｓ２２）と同じ方法で布が脱水される予備脱水過程（Ｓ４２）が行われ、前記予備脱水過程（Ｓ４２）に続いて、前記洗濯槽が前記予備脱水過程（Ｓ４２）より高速で回転されて、布が本格的に脱水される本脱水過程（Ｓ４４）が実施される。もちろん、前記第２脱水ステップ（Ｓ４０）の本脱水過程（Ｓ４４）でも、前記洗濯槽の脱水速度は、布が前記洗濯槽の水孔に挟まれる現象を最小化できるように設定される。
【００６７】
更に、布が前記第１脱水ステップ（Ｓ２０）により一定水準まで脱水された状態であるため、前記第２脱水ステップ（Ｓ４０）において、前記洗濯槽が前記第１脱水ステップ（Ｓ２０）より速い速度で回転されても、布が前記洗濯槽の水孔に挟まれる現象を最小化できる。したがって、前記第２脱水ステップ（Ｓ４０）の本脱水過程（Ｓ４４）では、少なくとも前記洗濯槽の最終脱水速度が、前に行われた洗濯槽の脱水速度より速く設定されることによって、脱水率は極大化、時間は最小化できるようになる。その一例として、前記第２脱水ステップ（Ｓ４０）の本脱水過程（Ｓ４４）は、まず前記洗濯槽が７００ｒｐｍ程度で一定時間回転された後、残りの時間の間、８００ｒｐｍ程度で回転されるようにすることができる。ここで、前記第２脱水ステップ（Ｓ４０）もまた、前記第１脱水ステップ（Ｓ２０）と同様に、通常の脱水工程時より相対的に長く行われることができる。
【００６８】
このような第２脱水ステップ（Ｓ４０）は、布がさらに脱水され得るように、さらに複数回繰り返し行われることができ、前記第２脱水ステップ（Ｓ４０）がさらに複数回行われる場合、次の回数の第２脱水ステップ（Ｓ４０）が実施される前に、布ほぐしが行われることが好ましい。
【００６９】
最後に、前記第２脱水ステップ（Ｓ４０）が最後の回数まで全て実施されると、同様に、絡まった布をほぐすと共に、布を前記洗濯槽の壁面から落とすことができるように、仕上げ布ほぐしステップ（Ｓ５０）が実施される。
【００７０】
前記仕上げ布ほぐしステップ（Ｓ５０）もまた、前記モータが一定デューティー値に応じて、繰り返し的にオン・オフ動作することによって、前記洗濯槽が低速で攪拌回転されて行われる。
前記仕上げ布ほぐしステップ（Ｂ９０）まで終わると、本発明に係るセミドライ工程が終了する。
【００７１】
図４は、本発明の別の実施形態に係る洗濯機のセミドライ方法を示したフローチャートであり、図５は、本発明の別の実施形態に係る洗濯機のセミドライ方法において、時間対比モータｒｐｍが示されたグラフである。
【００７２】
以下、図４及び図５を参照して、本発明の別の実施形態に係る洗濯機のセミドライ方法に係るセミドライ工程を詳細に説明すれば、次の通りである。参考に、本発明の他の実施形態に係るセミドライ工程は、図３を参照して、前記に記載されたセミドライ工程と同一、類似の説明は、省略することができる。
【００７３】
本発明に係るセミドライ工程が始まれば、まず、布ほぐしが行われるように、モータが一定デューティー値、すなわちＴ1／Ｔ2に応じて、繰り返し的にオン・オフ動作することによって、前記洗濯槽が低速で攪拌回転される初期布ほぐしステップ（Ｓ１００）が行われる。
【００７４】
この時、前記布が多く濡れている状態であり、乾布状態の時より相対的に重量が大きく、互いに絡まりあっている状態であるため、前記洗濯槽が回転される時、前記モータに大きな負荷がかかるだけだけなく、前記洗濯槽の振動が過度になりやすい。したがって、前記モータのデューティー値は、前記洗濯槽が低速で短時間攪拌回転できるように、小さく設定されることが好ましい。
【００７５】
前記初期布ほぐしステップ（Ｓ１００）が終われば、前記洗濯槽に投入された布量が感知され（Ｓ１０２）、感知された布量がセミドライ工程が可能な最大布量である既設定分と比較される（Ｓ１０４）。
【００７６】
前記で感知された布量が、セミドライ工程が可能な最大布量である既設定分（値）を超過した場合、セミドライ工程が中断され（Ｓ１１０）、ユーザにセミドライ工程の停止を通知する警報が発せられる（Ｓ１１２）。
【００７７】
これに対し、感知された布量が既設定分に比べてより少なければ、もう一度布ほぐしが行われるように、モータが一定デューティー値に応じて、繰り返し的にオン・オフ動作されることによって、前記洗濯槽が低速で攪拌回転される布ほぐしステップ（Ｓ１２０）が行われる。
【００７８】
この時、初期布ほぐしステップ（Ｓ１００）により、布が一回ほぐされた状態であるから、前記布ほぐしステップ（Ｓ１２０）で布ほぐしが十分に行われるように、前記布ほぐしステップ（Ｓ１２０）において、前記モータのデューティー値は、前記初期布ほぐしステップ（Ｓ１００）の時より大きく設定されることができる。すなわち、前記布ほぐしステップ（Ｓ１２０）において、モータのデューティー値は、前記モータのオン動作時間（Ｔ1）が前記初期布ほぐしステップ（Ｓ１００）の時より相対的に長くなる。
【００７９】
次に、前記布ほぐしステップ（Ｓ１２０）が終われば、布が遠心力により脱水され得るように、前記洗濯槽が一定脱水速度で回転される脱水ステップ（Ｓ１３０）が実施される。
【００８０】
前記脱水ステップ（Ｓ１３０）は、まず前記洗濯槽が相対的に低い速度（Ｖ1，Ｖ2，Ｖ3）で回転される予備脱水過程（Ｓ１３２）が行われ、前記予備脱水過程（Ｓ１３２）に続いて、前記洗濯槽が前記予備脱水過程（Ｓ１３２）より高い脱水速度（Ｖ0）で回転される本脱水過程（Ｓ１３４）が実施される。
【００８１】
この時、前記脱水ステップ（Ｓ１３０）は、布が遠心力により脱水され、前記洗濯槽の水孔に挟まれる現象を最小化できるように、前記洗濯槽の脱水速度が設定されることができ、かつ、布が十分に脱水できるように、通常の脱水工程時より相対的に長く行うことができる。
【００８２】
次に、布がさらに脱水され得るように、前記布ほぐしステップ（Ｓ１２０）と脱水ステップ（Ｓ１３０）とが交互にさらに複数回行われることができる（Ｓ１４０）。
【００８３】
この時、前記布ほぐしステップ（Ｓ１２０）と脱水ステップ（Ｓ１３０）とがさらに複数回行われることによって、布の脱水率が順次増加するので、前記布ほぐしステップ（Ｓ１２０）は、さらに複数回行われる時ごとに、モータのデューティー値は、前に行われた布ほぐしステップ（Ｓ１２０）でのモータのデューティー値よりさらに大きく設定されることが好ましい。
【００８４】
また、前記各脱水ステップ（Ｓ１３０）の予備脱水過程（Ｓ１３２）において、前記洗濯槽の脱水速度は、前に行われた脱水ステップ（Ｓ１３０）の予備脱水過程（Ｓ１３２）における洗濯槽の脱水速度よりさらに速く設定されることが好ましい。そうすると、布の損傷を最小化すると共に、布の脱水率を極大化でき、時間を最小化できる。
上記のように、最終回数の脱水ステップまで終われば（Ｓ１４０）、本発明の別の実施形態に係るセミドライ工程が終了する。
【００８５】
上記したような本発明に係るセミドライ方法の作用及び効果を説明すれば、以下の通りである。
本発明は、脱水ステップで布が遠心力により脱水され、前記洗濯槽の水孔に挟まれる現象を最小化できるように、前記洗濯槽が一定脱水速度まで多段で順次速くなりながら数分の間回転され、このような脱水ステップが、複数回繰り返し行われることによって、布が５５〜７０％程度の脱水率まで脱水され得るし、前記脱水ステップが複数回繰り返し行われる途中に布がほぐされる。
【００８６】
したがって、本発明に係るセミドライ工程により脱水された布は、損傷及びしわがほとんどなく、通常の脱水工程より脱水率が高くて、室内／外で短時間に自然乾燥できるだけでなく、アイロンがけなどの後処理過程を経て、直ちに着用または利用できる。
【００８７】
また、本発明に係るセミドライ工程は、総実施時間が数十分内外であるため、従来の乾燥装置が備えられた洗濯機における乾燥工程と比較すれば、消費電力量などが減少できるだけでなく、布からの悪臭もせず、布を洗濯し、完全に乾燥するための総洗濯時間が、乾燥装置による乾燥工程または従来の洗濯機の脱水工程より相対的に短いという利点がある。
【００８８】
以下、記述する本発明に係る洗濯機のセミドライのためのコントロール装置は、本発明のセミドライ方法によるセミドライ工程を行うことのできる装置に関するものであるため、セミドライ工程に関する詳細な説明は省略する。
【００８９】
図６は、本発明に係る洗濯機のセミドライのためのコントロール（制御）装置の構成図である。
本発明に係る洗濯機のセミドライのためのコントロール装置は、洗濯方法が入力されることができ、選択された洗濯方法による洗濯進行状態がディスプレイ（表示）される操作部５０と、該操作部５０に備えられてユーザが前記に記載された本発明に係るセミドライ工程が行われる時間を設定できるセミドライ時間設定手段とを備える。
【００９０】
前記操作部５０は、洗濯電源ボタン５１及び駆動／停止ボタン５２、洗濯物の種類及び汚染程度によって、洗濯コースを選択する洗濯コースボタン５３と、洗濯水位を選択できる洗濯水位ボタン５４と、温水、微温水、冷水に区分して、洗濯水の温度を選択できる洗濯水温ボタン５５と、洗濯進行状態を表示できるディスプレイと、ふやかし（ｓｏａｋｉｎｇ）工程ボタン５６と、洗濯工程ボタン５７と、すすぎ工程ボタン５８と、脱水工程ボタン５９とをさらに備えることができる。また、前記操作部５０には、洗濯進行状態を表示する発光素子と、セブンセグメントが備えられる指示器と、を具備する。
【００９１】
前記セミドライ時間設定手段は、ユーザが本発明に係るセミドライ工程を入力でき、同時にセミドライ工程の実施時間を設定できるセミドライ時間設定ボタン６２を含み、前記セミドライ時間設定ボタン６２の操作回数に応じて、セミドライ工程の実施時間が設定されるようにすることができる。
【００９２】
一例として、前記セミドライ時間設定ボタン６２が一回操作されれば、セミドライ工程の実施時間が３０分に設定され、２回操作されれば１時間、３回操作されば２時間、４回操作されれば３時間に設定されることができる。もちろん、前記セミドライ時間設定ボタン６２は、４回を超過して操作されば、セミドライ工程の実施時間が最も短い時間である３０分から順に再設定される。
【００９３】
上記のようなセミドライ時間設定ボタン６２は、表面にセミドライ時間設定ボタン６２を表示できる「セミドライ」という文字が示され、ユーザの目につきやすいように、前記操作部５０に備えられた他のボタンと色相が異なるように備えられることができる。
また、前記セミドライ時間設定手段は、上記のようなセミドライ時間設定ボタン６２の操作結果がユーザに見られるように、セミドライ表示部をさらに含むことができる。
【００９４】
前記セミドライ表示部は、前記セミドライ時間設定ボタン６２の操作回数によって、選択的に発光するセミドライ発光素子６４と、前記各セミドライ発光素子６４の側面に示されて、各セミドライ発光素子６４の発光の際に設定されたセミドライ工程の実施時間を表示できるセミドライ時間記号文字６６とからなることができる。前記セミドライ時間記号文字６６は、前記セミドライ時間設定ボタン６２が一回操作される時発光するセミドライ発光素子６４の側に、「３０分（Ｍｉｎ）」、前記セミドライ時間設定ボタン６２が２回操作される時発光するセミドライ発光素子６４の側に、「１時間（Ｈｒ）」、前記セミドライ時間設定ボタン６２が３回操作される時発光するセミドライ発光素子６４の側に、「２時間（Ｈｒ）」、そして前記セミドライ時間設定ボタン６２が４回操作される時発光するミドライ発光素子６４の側に「３時間（Ｈｒ）」と示されることができる。
【００９５】
したがって、前記セミドライ時間設定ボタン６２の操作回数に応じて、前記セミドライ発光素子６４のうち、いずれかの発光素子が発光すれば、ユーザが発光したセミドライ発光素子６４の側に示されたセミドライ時間記号文字６４により設定されたセミドライ工程の実施時間を確認することができる。
【００９６】
一方、前記セミドライ時間設定手段は、前記セミドライ工程が始まれば、同時に設定されたセミドライ工程の実施時間から逆にカウントしながら、セミドライ工程の残った進行時間を表示できるセミドライ進行表示部７０がさらに含むことができる。
【００９７】
一例として、前記セミドライ進行表示部７０は、セグメント方式で形成されることができる。したがって、前記セミドライ進行表示部７０は、２個のセブンセグメントが一対を形成して、時単位（Ｈｒ）の時間を数字で表示できる第１デュアルセグメント（指示器）７２と、該第１デュアルセグメント７２の側に並列に、さらに異なる２個のセブンセグメントが一対をなして、分単位（Ｍｉｎ）の時間を数字で表示できる第２デュアルセグメント（指示器）７４と、前記第１デュアルセグメント７２と第２デュアルセグメント７４との間に備えられて、前記第１デュアルセグメント７２と第２デュアルセグメント７４とを区画できる円状のセグメント指示器７６と、を具備する。前記円状のセグメント指示器７６は、セミドライ工程が実施される間、秒単位で点灯／点滅を繰り返すことができる。このようなセミドライ進行表示部７０では、セミドライ工程以外の工程が実施される時、現在進行中である工程の残った進行時間が表示されても良い。
【００９８】
また、前記セミドライ時間設定手段は、セミドライ工程が進行される間、現在セミドライ工程が進行中であることを通知し得るように、「セミドライ」という文字を発光させるセミドライ進行記号部７８をさらに含むことができる。
【００９９】
上記のように構成された本発明に係る本実施の形態の洗濯機のセミドライ方法を制御するためのコントロール（制御）装置の動作を説明すれば、次の通りである。
ユーザが前記セミドライ時間設定ボタン６２を操作すれば、コントロール装置にセミドライ工程が入力される。同時に前記セミドライ時間設定ボタン６２の操作回数に応じて、セミドライ工程の実施時間が設定され、前記セミドライ発光素子６４のうち、いずれかが発光する。そうすると、ユーザが前記セミドライ時間設定ボタン６２の操作により、発光した前記セミドライ発光素子６４の側に設置されたセミドライ時間記号文字６６を見て、ユーザの選択によって設定されたセミドライ工程の実施時間を確認することができる。
【０１００】
そして、本発明に係るセミドライ工程が始まれば、前記セミドライ進行表示部７０に、前記セミドライ時間設定ボタン６２により設定されたセミドライ工程の実施時間から逆にカウントしながら、セミドライ工程の残った進行時間が表示される。同時に、前記セミドライ工程が実施される間、前記セミドライ進行記号部７８が作動されることによって、「セミドライ」という文字が鮮明に表示される。
【０１０１】
図７は、本発明の別の実施の形態に係る洗濯機のセミドライ工程を制御するためのコントロール（制御）装置の構成図である。以下、記述される本発明の別の実施の形態に係る洗濯機のセミドライのためのコントロール装置の構成図は、図６を参照して、前記に記載された実施形態と同一、類似しているので、詳細な説明及び図面は省略する。
【０１０２】
以下、図７を参照して、本発明の別の実施の形態に係る洗濯機のセミドライ方法の制御のためのコントロール装置を説明すれば、操作部８０に本発明に係るセミドライ工程を入力できると共に、セミドライ工程の実施時間を設定できるセミドライ時間設定ボタン８２が備えられる。そして、前記操作部８０には、セグメント方式で前記セミドライ時間設定ボタン８２の操作結果及びセミドライ工程の残った進行時間を共に通知し得るセミドライ時間表示部８４が備えられる。
また、前記操作部８０は、セミドライ工程が進行される間、「セミドライ」文字が発光されるようにするセミドライ進行記号部８６をさらに備えることができる。
【０１０３】
このような本発明の別の実施の形態に係る洗濯機のセミドライ方法の制御のためのコントロール装置の動作を説明すれば、次の通りである。
ユーザが、前記セミドライ時間設定ボタン８２を操作すれば、セミドライ工程が入力される。同時に、前記セミドライ時間設定ボタン８２の操作回数に応じて、セミドライ工程の実施時間が設定され、設定されたセミドライ工程の実施時間が、前記セミドライ時間表示部８４により表示される。前記セミドライ時間表示部８４には、設定されたセミドライ工程の実施時間が一定時間の間表示される。
【０１０４】
以後、セミドライ工程が始まれば、前記セミドライ時間表示部８４には、セミドライ工程の残った進行時間が表示され、前記セミドライ進行記号部８４が作動される。
このように構成された洗濯機のセミドライ方法の制御のためのコントロール装置は、ユーザが好みによってセミドライ工程の実施時間を選択でき、ユーザの選択にともなう結果が直ちにディスプレイ（表示）されると共に、セミドライ工程の際、セミドライ工程の残った進行時間を確認することができる。
【０１０５】
以下、記述する本発明に係る洗濯機のセミドライ方法のための通風構造は、本発明のセミドライ方法によるセミドライ工程の効果を向上させることができる装置に関するものであって、セミドライ工程に関する詳細な説明は省略する。
【０１０６】
図８は、本発明に係る洗濯機の通風構造を示した斜視図であり、図１２は、本発明に係る洗濯機の要部構成を示した分解斜視図であり、図１７は、本発明に係る洗濯機の要部構成を示した組み立て斜視図である。
【０１０７】
本発明に係る洗濯機のセミドライのための通風構造は、本発明に係るセミドライ工程の際、洗濯槽の内部に空気が通風できるように前記洗濯槽を開閉するドア１０２を具備し、そのドア１０２には少なくとも１つ以上の通風口１１０が備えられる。
【０１０８】
前記ドア１０２は、前記洗濯槽１００を開閉する方向において、前方及び後方パネル１０１、１０３に区分される。洗濯槽１００においてドア１０２が開放される際、前記前方、後方パネル１０１、１０３が重なるように、ドア１０２を互いに折り畳むことができる。この時、前記ドア１０２の前方パネル１０１には、前記洗濯槽１００の内部を見ることができるように、透明窓が備えられ、前記ドア１０２を開閉操作できるように、取っ手が形成されるので、前記通風口１１０は、周囲との干渉を最小化できるように、前記ドア１０２の後方パネル１０３に備えられることが好ましい。
そして、前記少なくとも１つ以上の通風口１１０が形成された前記ドア１０２の部位が、内部に向いて四角形状で陥没された溝のように形成されることができるが、以下、このドア１０２の部位を「通風パネル部１０４」という。
【０１０９】
前記通風口１１０の構造を、特に図１２の拡大部分及び図１３を参照して説明すれば、前記洗濯槽１００に投入された布が飛び出されないように、非常に小さな大きさで形成され、前記洗濯槽１００の内部に空気が十分に循環できるように、複数個が前記ドア１０２の所定の部位に分布することが好ましい。
【０１１０】
また、前記各通風口１１０は、空気が洗濯機の外部から前記通風口１１０を流動する時、流動抵抗を最小化できるように、外側終端が所定半径（Ｒ）でラウンド（丸み）処理され、空気の流動速度が構造的に前記洗濯槽１００の外側から内部へ行くほど速くなるように、前記洗濯槽１００の内部に空気が流れる方向（図１３の矢印Ａ）へ行くほど、各通風口１１０の直径は次第に狭くなることができる。
【０１１１】
このような通風口１１０は、セミドライ工程の時、前記洗濯槽１００の湿っぽい空気より相対的に乾燥している外部空気が、前記洗濯槽１００の内部に円滑に通風するようにすることによって、前記洗濯槽１００に投入された布が遠心力による脱水作用と共に、通風による自然乾燥作用により十分に脱水できるようにする。
【０１１２】
一方、前記通風口１１０側には、外部の異物が前記通風口１１０を介して前記洗濯槽１００の内部に入らないように、フィルタ１２０が設置されることができる。
【０１１３】
図１２及び図１７を参照すれば、前記フィルタ１２０は、前記複数個の通風口１１０を全て受け入れることができて且つ前記各通風口１１０より広いホール１２１が複数個備えられるように射出成形された、フィルタ枠１２２と、該フィルタ枠１２２のホール１２１に備えられるように、前記フィルタ枠１２２の射出成形時、インサートされたフィルタ網１２４と、からなる。前記フィルタ網１２４は、金網またはヘパ（Ｈｅｐａ）ろ過紙のような織物材質であり得る。
【０１１４】
このようなフィルタ１２０が、前記通風口１１０側に設置され得るように、前記通風パネル部１０４の底部の中で、前記通風口１１０が形成された部位に前記フィルタ１２０と同じ形状のフィルタ溝１０４´が備えられて、前記フィルタ１２０が前記フィルタ溝１０４´に挿入される。
【０１１５】
この時、前記フィルタ溝１０４´が前記フィルタ１２０と同じ形状で形成されるため、前記フィルタ１２０が前記フィルタ溝１０４´に挿入されれば、図１７に示しているように、前記フィルタ１２０の外側面は、前記通風パネル部１０４の底部と平行して、すっきりした外観イメージを与えることができるだけでなく、前記フィルタ１２０が周囲と干渉しない。また、ボルトなどの別途の部品を利用しなくても、前記フィルタ１２０をフィルタ溝１０４´に固く挿入することができ、前記フィルタ溝１０４´に挿入されたフィルタ１２０を容易に取り出すことができるため、前記フィルタ１２０の簡単な清掃及び交換が可能である。
【０１１６】
ここで、前記フィルタ１２０をフィルタ溝１０４´に挿入すること又は取り出すことを容易にするため、前記フィルタ１２０には、フィルタ取っ手１２６が備えられることができる。前記フィルタ取っ手１２６は、前記フィルタ枠１２２の射出成形の際に、フィルタ枠と一体に成形されることが好ましい。
【０１１７】
また、前記洗濯槽１００に給水された水が、前記フィルタ１２０とフィルタ溝１０４´との間にはねて溜まることができるが、特に、図１２の拡大部分を参照すれば、これによって水垢が付かないように、前記フィルタ溝１０４´の壁には、前記洗濯槽１００に再び水が排水されるように水孔１０５が形成されることができる。前記水孔１０５は、前記フィルタ溝１０４´の底部から一定高さ（１０４Ｈ）に形成され、前記フィルタ溝１０４´より低く形成されることが好ましい。
【０１１８】
一方、本発明の洗濯機の通風構造は、前記通風口１１０を閉鎖し且つ開放するためのカバー１３０をさらに含むことができる。
【０１１９】
図８及び図９、図１２、図１７を参照すれば、前記カバー１３０は、前記通風パネル部１０４より広く形成された四角パネル１３２と、前記四角パネル１３２の内側面に環状構造で備えられたリム（Rim）１３４と、を具備することができる。
【０１２０】
前記カバー１３０の四角パネル１３２には、外側面にユーザが前記カバー１３０を取る時、滑らないようにすべり防止手段１３６が備えられることができる。特に、図８の拡大部分及び図９を参照すれば、前記すべり防止手段１３６は、前記カバー１３０の四角パネル１３２の一部が荒くなるように、複数の凹凸が形成されることによって構成される。
【０１２１】
前記カバー１３０のリム１３４は、前記カバー１３０が通風口１１０を覆う時、前記通風パネル部１０４の内部に挿入されるように、前記カバー１３０の四角パネル１３２の枠から内側へ一定の距離が入った地点に位置し、前記カバー１３０の四角パネル１３２が前記ドア１０２に触れないように、所定の高さを有する。したがって、ユーザが前記カバー１３０の四角パネル１３２の枠を握ってカバー１３０を開閉することが可能になる。
【０１２２】
この時、前記ドア１０２には、ユーザが前記カバー１３０の四角パネル１３２をさらに手軽に握ることができるように、前記通風パネル部１０４と連結したアーク型のカバー着脱式溝１０６が形成されることができる（図１２参照）。
このように形成されたカバー１３０が、前記ドア１０２と分離されない状態で開閉操作を行うことができるように、前記カバー１３０とドア１０２との間には、前記カバー１３０が洗濯機の内外方向に回転できるようにするヒンジ手段１４０が備えられることができる。
【０１２３】
図１４及び図１５に示されているように、前記ヒンジ手段１４０は、前記ドア１０２に備えられてピン１４１を有する第１ボス１４２と、前記カバー１３０に備えられて前記ピン１４１が回転可能に挿入されることができる溝１４３が形成された第２ボス１４４とからなる。
【０１２４】
前記第１ボス１４２は、前記カバー１３０が開閉されるヒンジ軸（矢印Ｓ）方向に互いに離隔され、互いを向いてピン１４１が突出する一対からなり、前記第２ボス１４４もまた、前記一対の第１ボス１４２と一対一に対応するように備えられる。
【０１２５】
この時、前記第１ボス１４２のピン１４１を前記第２ボス１４４の溝１４３に容易に挿入するか、分離するために、前記第２ボス１４４の溝１４３は、周りの一部が切開された切開部１４３´を備える。
ここで、前記カバー１３０とドア１０２とは、プラスチック材質から成形され、前記第２ボス１４４の切開部１４３´は、前記第２ボス１４４の溝１４３の周り方向に、切開幅が前記第２ボス１４４のピン１４１の直径よりすこし小さく形成されることが好ましい。そうすると、前記第１ボス１４２のピン１４１を前記第２ボス１４４の溝１４３に締まりばめ状態で挿入することができ、前記第１ボス１４２のピン１４１が前記第２ボス１４４の溝１４３から容易には離脱されない。
【０１２６】
前記のようなヒンジ手段１４０には、前記カバー１３０が前記ドア１０２から一定角度（θ）以上開けば、前記第１ボス１４２に当接する（又は固定する）ように、前記第２ボス１４４に一体に形成された支持部材１４６をさらに含むことができる。
【０１２７】
すなわち、図１５に示されているように、前記支持部材１４６が前記第１ボス１４２に当接した（又は固定した）状態において、前記カバー１３０をカバー１３０の開放方向（矢印Ｂ）に更に回転させると、図１６に示されているように、前記支持部材１４６が前記第１ボス１４２の地点（P´）で支持されて、それにより前記第１ボス１４２のピン１４１を、前記第２ボス１４４の切開部１４３´を介して前記第２ボス１４４の溝１４３から分離する。
【０１２８】
そうすると、前記カバー１３０をドア１０２から開放する際、前記カバー１３０をドア１０２から容易に分離できるため、前記ドア１０２の裏側に物を置くことができ、前記カバー１３０が洗濯機の周囲と干渉することはなく、更に前記カバー１３０により通風経路の一方の側がふさがることを防止できる。
また、本発明の洗濯機の通風構造は、前記カバー１３０とドア１０２との間には、前記カバー１３０が前記通風口１１０を覆っている状態が維持されるように、ロック（固定）手段１５０を備えることができる。
【０１２９】
図９及び図１２を参照すれば、前記ロック手段１５０は、前記ドア１０２に形成されたフックホール１５１と、前記カバー１３０から突出してフックホール１５１に取り外し可能に挿入される、フック１５２と、を具備する。前記フック１５２は、フック１５２が前記フックホール１５１に対して着脱される時、フックホール１５１とフック１５２の摩擦面１５２´間の摩擦を最小化できるように、所定曲率の曲面で形成される。この時、前記フック１５２は、前記リム１３４と分離され得るように、前記リム１３４との間に切開ライン１５４が備えられる。
【０１３０】
一方、本発明の洗濯機の通風構造は、セミドライ工程の際、前記カバー１３０が前記通風口１１０を覆っていても、洗濯槽１００の通風が常に行われるように、常時通風手段をさらに含むことができる。
【０１３１】
図８及び図１２、図１７に示されているように、前記常時通風手段は、前記カバー１３０が前記通風口１１０を覆っている時にも、前記カバー１３０のリム１３４を介して通風がなされるように、前記カバー１３０のリム１３４の一部が、前記カバー１３０の四角パネル１３２から他の部位より相対的に短く突出した、常時通風部１６０からなる。もちろん、前記常時通風部１６０は、前記カバー１３０から突出した長さが、前記カバー１３０が通風口１１０を覆っている時の前記カバー１３０とドア１０２との間の間隔より小さく形成される。
【０１３２】
一方、本発明の洗濯機の通風構造は、前記カバー１３０が通風口１１０を覆っている時、前記カバー１３０の開閉方向における前記カバー１３０の動きによって発生する騷音を防止するためのカバー騒音防止手段をさらに含むことができる。
前記カバー騒音防止手段において、特に、図１０に示されているように、前記カバー１３０が通風口１１０を覆う時、前記カバー１３０の四角パネル１３２は、前記ドア１０２と触れないように、支持部材により支持され、前記リム１３４は、前記ドア１０２と一定間隙を維持できるように、前記カバー１３０の四角パネル１３２から一定の長さで突き出る。したがって、前記カバー１３０が前記支持部材によってのみ支持されることによって、前記カバー１３０の動きによる騷音はほとんど起こらない。
【０１３３】
この時、前記フィルタ１２０にフィルタ取っ手１２６を設けた場合、前記カバー１３０が通風口１１０を覆っている時、前記フィルタ取っ手１２６が前記カバー１３０の四角パネル１３２を支持するように、前記支持部材は、所定の高さで形成される。
また、前記カバー１３０が通風口１１０を覆っている時、前記カバー１３０のリム１３４とドア１０２との間の最小間隙１７０は、２ｍｍないし５ｍｍであることが好ましい。
【０１３４】
前記カバー騒音防止手段は、他の実施形態として、特には図１１を参照すれば、前記カバー１３０が通風口１１０を覆っている時、前記カバー１３０のリム１３４が、前記カバー１３０の四角パネル１３２から通風パネル部１０４までの距離よりすこし長くなるように形成されてなる。そうすると、前記カバー１３０が前記ロック手段１５０により通風口１１０を覆っている状態が維持される時、前記カバー１３０のリム１３４が前記ドア１０２に圧着されることによって、前記カバー１３０の動きが防止されるため、騷音が生じない。
【０１３５】
このように構成された洗濯機のセミドライのための通風構造は、前記ドア１０２に通風口１１０が形成されることによって、セミドライ工程が実施される間、布が遠心力による脱水作用と共に、通風による乾燥作用により十分に脱水され得る。
また、前記通風口１１０側にフィルタ１２０が設置され、通風が必要でない時、前記通風口１１０を覆うことができるように、前記ドア１０２にカバー１３０が設置されることによって、前記通風口１１０を介して異物が洗濯槽１００内に混入するのを防止できる。
【０１３６】
また、前記カバー１３０に備えられたリム１３４は、前記カバー１３０が通風口１１０を覆っていても、前記通風口１１０を介してある程度通風できるように、少なくとも一部が他の部位より短く形成されることによって、セミドライ工程の際に、ユーザが前記通風口１１０を開いておかなかったとしても、セミドライ性能が通風により向上することができる。また、洗濯機の全ての工程が終了した後、前記洗濯槽１００の内部に布が長く放置されても、通風がなされることによって、前記洗濯槽１００の内部で自然乾燥できるので、布から悪臭が発生するか、又は布が損傷されることを低減できる。
【産業上の利用可能性】
【０１３７】
上記のように構成され、作用される本発明に係る洗濯機のセミドライ方法は、脱水と布ほぐしが複数回繰り返し行われ、特に、脱水ステップにおいて、布が洗濯槽の水孔に挟まれる現象を最小化できるように、洗濯槽が所定の脱水速度で回転される共に、従来の脱水工程時より長く進行されるため、布の損傷及びしわがほとんどなく、従来の脱水工程より脱水率が高いという利点がある。
【０１３８】
また、本発明に係る洗濯機のセミドライ方法は、総実施時間が数十分内外であるため、従来の乾燥装置が備えられた洗濯機における乾燥工程と比較して、消費電力量などが減少できるだけでなく、布からの悪臭の発生もなく、布を洗濯し完全に乾燥するための総洗濯時間が、乾燥装置による乾燥工程または従来の脱水工程より相対的に短いという利点がある。
【０１３９】
また、本発明に係る洗濯機のセミドライ方法の制御のためのコントロール装置は、操作部に上述したセミドライ工程の実施時間を設定でき、それにともなう結果が表示される時間設定手段が備えられることによって、ユーザが好みによってセミドライ工程の実施時間を選択できるだけでなく、ユーザの選択結果を直ちに確認することができ、また前記操作部にセミドライ工程の残った進行時間が表示されるセミドライ進行表示部が備えられることによって、ユーザがセミドライ工程の進行状態を確認することができるという利点がある。
【０１４０】
また、本発明に係る洗濯機のセミドライのための通風構造は、ドアに通風口が形成されることによって、セミドライ工程時の布の脱水率が向上することができるという利点がある。
【０１４１】
また、本発明に係る洗濯機のセミドライのための通風構造は、前記通風口側にフィルタが設置され、通風を必要としない時、前記通風口を覆うことができるように、前記ドアにカバーが設置されることによって、前記通風口を介して異物が混入することを防止できるという利点がある。
【０１４２】
また、本発明に係る洗濯機のセミドライのための通風構造は、前記カバーが通風口を覆っていても、前記通風口を介して通風がなされるように、常時通風手段が備えられることによって、ユーザが常時通風を行うことができるという利点がある。
【０１４３】
また、本発明に係る洗濯機の通風構造は、洗濯機の動作終了後、洗濯槽の内部に布が長く放置されても、布からの悪臭が発生するか、又は布が損傷されることを低減できるという利点がある。
【０１４４】
本発明の好適な実施の形態が説明の目的で開示されたが、当業者には、記載される請求項に開示される本発明の範囲及び精神から逸脱することなく、修正形態、追加形態及び代替形態が可能であることが理解される。
【図面の簡単な説明】
【０１４５】
【図１】図１は、従来の全自動洗濯機の長手方向の断面図である。
【図２】図２は、従来の乾燥装置が備えられた洗濯機の長手方向の断面図である。
【図３】図３は、本発明の一実施の形態に係る洗濯機のセミドライ方法を示したフローチャートである。
【図４】図４は、本発明の別の実施の形態に係る洗濯機のセミドライ方法を示したフローチャートである。
【図５】図５は、本発明の別の実施の形態に係る洗濯機のセミドライ方法において、時間対比モータ速度（ｒｐｍ）を示したグラフである。
【図６】図６は、本発明の一実施の形態に係る洗濯機のセミドライ工程を制御するためのコントロール装置を示した構成図である。
【図７】図７は、本発明の他の実施の形態に係る洗濯機のセミドライ工程を制御するためのコントロール装置を示した構成図である。
【図８】図８は、本発明に係る洗濯機の通風構造を示した斜視図である。
【図９】図９は、図８のＡ‐Ａ断面図である。
【図１０】図１０は、図８のＢ‐Ｂ断面図である。
【図１１】図１１は、図８のＢ‐Ｂ断面を他の実施の形態で示した断面図である。
【図１２】図１２は、本発明に係る洗濯機の通風構造の分解斜視図である。
【図１３】図１３は、図１２のＣ‐Ｃ断面図である。
【図１４】図１４は、図１２に示したヒンジ手段の拡大図である。
【図１５】図１５は、図１４のＤ‐Ｄ断面図である。
【図１６】図１６は、図１２に示したヒンジ手段の作動状態を示した断面図である。
【図１７】図１７は、本発明に係る洗濯機の要部構成を示した組み立て斜視図である。
【図１】
2006528523.tif 000003
【図２】
2006528523.tif 000004
【図３】
2006528523.tif 000005
【図４】
2006528523.tif 000006
【図５】
2006528523.tif 000007
【図６】
2006528523.tif 000008
【図７】
2006528523.tif 000009
【図８】
2006528523.tif 000010
【図９】
2006528523.tif 000011
【図１０】
2006528523.tif 000012
【図１１】
2006528523.tif 000013
【図１２】
2006528523.tif 000014
【図１３】
2006528523.tif 000015
【図１４】
2006528523.tif 000016
【図１５】
2006528523.tif 000017
【図１６】
2006528523.tif 000018
【図１７】
2006528523.tif 000019
【国際調査報告】
2006528523.tif 000020
2006528523.tif 000021